(57)【要約】  【課題】  筐体の外部に突出させた部品によってカメラの外観が損なわれるのを防止する。  【解決手段】  カメラ１は、扁平な直方体形状の筐体２の第１の主面３に臨んで撮像レンズ４が配置され、前記撮像レンズ４を露出させる第１の位置と前記撮像レンズ４を隠蔽する第２の位置の間で移動可能なバリヤ７を前記筐体の一方の主面３に備えている。前記バリヤ７が前記第２の位置に在るときに該バリヤ７で隠蔽される位置で、かつ前記バリヤ７が前記第１の位置に在るときにも該バリヤ７で隠蔽される位置に前記筐体２の一方の主面３から突出して部品の一部が配置されている。  【選択図】  図１Ａ
2006184390.tif 000002
【特許請求の範囲】
【請求項１】
扁平な直方体形状の筐体の第１の主面に撮像レンズが配置され、前記撮像レンズを露出させる第１の位置と前記撮像レンズを隠蔽する第２の位置の間で移動可能なバリヤを前記筐体の一方の主面に組付けた撮像装置であって、
前記バリヤが前記第２の位置に在るときに該バリヤで隠蔽される位置に前記筐体の一方の主面から突出して部品の一部が配置されていることを特徴とする撮像装置。
【請求項２】
扁平な直方体形状の筐体の第１の主面に撮像レンズが配置され、前記撮像レンズを露出させる第１の位置と前記撮像レンズを隠蔽する第２の位置の間で移動可能なバリヤを前記筐体の一方の主面に組付けた撮像装置であって、
前記バリヤが前記第２の位置に在るときに該バリヤで隠蔽される位置で、かつ前記バリヤが前記第１の位置に在るときにも該バリヤで隠蔽される位置に前記筐体の一方の主面から突出して部品の一部が配置されていることを特徴とする撮像装置。
【請求項３】
前記筐体の第１の主面から一部が突出する部品は、前記撮像レンズのアイリス駆動機構であることを特徴とする請求項２に記載の撮像装置。
【請求項４】
前記バリヤは、略矩形状に形成されていて、四隅部に配置されて前記筐体の第１の主面に接触するローラと、移動方向の両側部に配置された一対のバリヤスライドガイド部と、によって前記第１の位置と前記第２の位置との間を移動することを特徴とする請求項１に記載の撮像装置。
【請求項５】
前記バリヤは、前記第１の位置に在るときにトグルバネの力で第１のストッパー部に押し付けられ、前記第２の位置に在るときに前記トグルバネの力で第２のストッパー部に押し付けられることを特徴とする請求項４に記載の撮像装置。
【請求項６】
撮像レンズおよび前記筐体内に組込まれた部品の一部が扁平な直方体形状の筐体の第１の主面から突出して配置された撮像装置であって、
前記筐体内に組込まれた部品の一部は、前記筐体の第１の主面にスライド可能に取付けられたバリヤで隠蔽されていることを特徴とする撮像装置。
【発明の詳細な説明】
【技術分野】
【０００１】
本発明はデジタルカメラ（ＤＳＣ）等の撮像装置に関し、特に撮像レンズを保護するバリヤを利用して筐体をより薄肉にすることができるようにしたものである。
【背景技術】
【０００２】
デジタルカメラ等の撮像装置として、携帯に便利なように薄型化の傾向にあり、所謂カード型のデジタルカメラも開発されている。（例えば、特許文献１）
【特許文献１】特開平１１−２８２０７３号公報
【発明の開示】
【発明が解決しようとする課題】
【０００３】
ところで、前記カード型のデジタルカメラを薄くするためには当然、液晶表示部等の各種の部品を薄型にすることが要求される。
【０００４】
しかし、前記各種の部品の中には、他の部品に比べて薄型にし難いものがある。例えば、レンズの絞りモータ等を搭載したアイリス駆動機構は、他の部品に比べて薄肉にするのが難しい。従って、前記アイリス駆動機構を全体が均一の厚さの筐体内に収納しようとする前記アイリス駆動機構を収納するために筐体全体が厚くなってしまう。
【０００５】
そこで、図２３に示すように前記筐体２０１に切欠部２０１ａを設け、該切欠部２０１ａからアイリス駆動機構２０２等の一部を筐体２０１の主面から突出させることも考えられる。
【０００６】
しかし、上述のように、筐体２０１の切欠部２０１ａからアイリス駆動機構２０２等の部品の一部等を突出させると、突出した部品が見えるために、デジタルカメラの外観（体裁）が損なわれるという問題点があった。
【０００７】
本発明の目的は、上述のように筐体から部品の一部に突出させた場合でも突出によってデジタルカメラの外観（体裁）を損なうのを防止することのできる撮像装置を提供することにある。
【課題を解決するための手段】
【０００８】
請求項１の発明は、扁平な直方体形状の筐体の第１の主面に撮像レンズが配置され、前記撮像レンズを露出させる第１の位置と前記撮像レンズを隠蔽する第２の位置の間で移動可能なバリヤを前記筐体の一方の主面に組付けた撮像装置であって、前記バリヤが前記第２の位置に在るときに該バリヤで隠蔽される位置に前記筐体の一方の主面から突出させた状態で前記筐体内に内蔵された部品の一部を配置した。
【０００９】
請求項２の発明は、扁平な直方体形状の筐体の第１の主面に撮像レンズが配置され、前記撮像レンズを露出させる第１の位置と前記撮像レンズを隠蔽する第２の位置の間で移動可能なバリヤを前記筐体の一方の主面に組付けた撮像装置であって、前記バリヤが前記第２の位置に在るときに該バリヤで隠蔽される位置で、かつ前記バリヤが前記第１の位置に在るときにも該バリヤで隠蔽される位置に前記筐体の一方の主面から突出させた状態で前記筐体内に内蔵された部品の一部を配置した。
【００１０】
請求項３の発明は、請求項１または請求項２の撮像装置において、前記筐体の第１の主面から、前記撮像レンズのアイリス駆動機構を突出させた。
【００１１】
請求項４の発明は、請求項１または請求項２の撮像装置において、前記バリヤを、略矩形状に形成し、その四隅部に前記筐体の第１の主面に接触するローラを配置すると共に、移動方向の両側部にバリヤスライドガイド部を配置して、これらローラとバリヤスライドガイド部とローラにより前記バリヤを前記第１の位置と前記第２の位置との間を移動させるようにした。
【００１２】
請求項５の発明は、請求項１または請求項２の撮像装置において、前記バリヤは、前記第１の位置に在るときにトグルバネの力で第１のストッパー部に押し付けられ、前記第１の位置に在るときに前記トグルバネの力で第２のストッパー部に押し付けられるようにした。
【００１３】
請求項６の発明は、撮像レンズおよび前記筐体内に組込まれた部品の一部が扁平な直方体形状の筐体の第１の主面から突出して配置された撮像装置において、前記筐体内に組込まれた部品の一部を、前記筐体の第１の主面にスライド可能に取付けられたバリヤで隠蔽した。
【発明の効果】
【００１４】
（１）請求項１の撮像装置は、バリヤが撮像レンズを隠蔽する第２の位置に在る写真非撮影時において、前記バリヤが筐体の一方の主面から突出する部品の一部を隠蔽して、該部品の一部が撮像装置の外観（体裁）を損なうのを防止する。
（２）請求項２の撮像装置は、バリヤが撮像レンズを隠蔽する第２の位置に在る写真非撮影時において、前記バリヤが筐体の一方の主面から突出する部品の一部を隠蔽して、該部品の一部が撮像装置の外観（体裁）を損なうのを防止すると共に、バリヤが撮像レンズを露出させる第１の位置に在る写真撮影時においても、前記部品の一部を隠蔽して、該部品の一部が撮像装置の外観（体裁）を損なうのを防止する。
（３）請求項３の撮像装置は、撮像レンズのアイリス駆動機構の一部を前記筐体の主面の外部に突出させたので、従来のように前記アイリス駆動機構の厚みに合わせて筐体全体を厚くする必要がなくなり、そのぶん筐体を薄くすることができる。
（４）請求項４の撮像装置は、略矩形状のバリヤの四隅部に配置したローラと移動方向の両側部に配置した一対のバリヤスライドガイド部とによって、前記筐体の第１の主面の傷つけることなく、しかも前記バリヤを傾斜させることなく前記バリヤを前記第１の位置と前記第２の位置との間で円滑に移動させることができる。
（５）請求項５の撮像装置は、前記バリヤが前記第１の位置に在るときにトグルバネの力で第１のストッパー部に押し付けられて前記バリヤは開放状態に維持され、前記バリヤが前記第２の位置に在るときに前記トグルバネの力で第２のストッパー部に押し付けられて前記バリヤは閉塞状態に維持される。
（６）請求項６の撮像装置は、前記バリヤで前記筐体の第１の主面から突出した部品の一部を隠蔽して、該部品の一部が撮像装置の外観（体裁）を損なうのを防止する。
【発明を実施するための最良の形態】
【００１５】
以下、本発明の撮像装置を、（１）撮像装置全体の概略構成、（２）筐体の構成、（３）バリヤの構成、（４）ローラの構成、（５）バリヤスライドガイド部の構成、（６）トグルバネの構成、（７）バッテリー収納部の蓋の構成、（８）バッテリーリリースレバーの構成、（９）ストラップ金具の構成、（１０）作用、（１１）他の実施例、の順に説明する。
（１）撮像装置全体の概略構成、
図１Ａ、図１Ｂは本発明の撮像装置としてのデジタルカメラを第１の主面（正面）側から見た斜視図、図２は本発明のデジタルカメラを第２の主面（裏面）側から見た斜視図である。
【００１６】
前記デジタルカメラ１は、前記扁平な直方体形状の筐体２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１７】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構８の一部が突出している。
【００１８】
前記バリヤ７は、略矩形状に形成されていて、四隅部には、前記筐体２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記筐体２の第１の主面３上を前記第１の位置と前記第２の位置の相互で移動するようになっている。
【００１９】
前記第１のバリヤスライドガイド部１５は、次の筐体の構成の項で詳しく説明するように、筐体２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記筐体２側に設けた第２のバリヤ係合体２６と、バリヤ側に設けられていて前記第２のバリヤ係合体２６がスライド可能に重合するレール状の第２のバリヤ係合体係合部９２と、からなっている。
【００２０】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
（２）筐体の構成、
図３は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００２１】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動機構８の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００２２】
図４の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００２３】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００２４】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００２５】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００２６】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００２７】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００２８】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００２９】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。
【００３０】
なお、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。また、前記第１の主面３と前記第２の主面５１を結ぶ第２の端面（下端面）６５側には、前記筐体２内に設けたメモリーカード等の記録媒体収納部６６の開口部を開閉する蓋６７が設けられている。また、前記第１の主面３と前記第２の主面５１を結ぶ第３の端面（右側端面）６８には、前記筐体２内のバッテリー収納部６９の開口部を開閉するバッテリー蓋７０と、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。
（３）バリヤの構成、
図４に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００３１】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００３２】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００３３】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００３４】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（４）ローラの構成、
図５に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００３５】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００３６】
そして、前記内側体８１を前記筐体２の前記第１の主面３に重ね合わせると、前記第１〜第４のローラ１１〜１４が前記筐体２の前記第１の主面３に接触するようになっている。
（５）バリヤスライドガイド部の構成、
バリヤスライドガイド部は、文字通り前記バリヤ７の移動をガイドするものであり、図６に示すように、前記バリヤ７の一側部に第１のバリヤスライドガイド部１５が配置され、他側部に第２のバリヤスライドガイド部１６が配置されている。
【００３７】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００３８】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００３９】
図６Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図６（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（６）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００４０】
図７に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００４１】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図４参照）の切起片８８に設けられた第２のバネ係止部８７に回動可能に係止されている。
【００４２】
前記トグルバネ１７は、前記バリヤ７が前記第１の位置に在るときには、図６Ａに示すように、前記第１,第２のバリヤ係合体２５,２６に第１のストッパー部１８に押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図６Ｂに示すように、前記第１,第２のバリヤ係合体２５,２６に第２のストッパー部１９を押し付けて前記バリヤ７を閉塞状態に維持する。
（７）バッテリー蓋の構成、
図８に示すように、前記第１の主面３と前記第２の主面５１を結ぶ端面６８には、前記第１の主面２と前記第２の主面６８の間に設けたバッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００４３】
前記バッテリー蓋７０は、軸１０１により前記筐体２に回動可能に取り付けられていて、前記軸１０１を中心にして時計方向に回動させると、図８に示すように、前記筐体２の端面６８上に重なって、前記開口部６９ａを閉じる。また、図８に示す状態から反時計方向に略１００°回動させると、図９に示すように、前記バッテリー蓋７０は、開いた状態になり前記ストラップ金具７２に重なって更なる回動を規制されて前記ストラップ金具７２によって保護される。
【００４４】
図１０に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図１２Ａ，図１２Ｂ， 図１２Ｃに示すように筐体２側に設けたバネ当接面１０２に接触している。
【００４５】
前記バッテリー蓋７０の閉塞時においては、図１２Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図１２Ａに示す状態から前記バッテリー蓋７０を開放方向（矢印Ｂ方向）に回動させると、前記バネ部１０２は前記バネ当接面１０３で押されて変形して行き、図１２Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図１２ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図１２Ｃに示すように、前記ストラップ金具７２に押し付けられて、前記筐体２の開口部６９ａを開放した状態に維持される。
（８）バッテリーリリースレバーの構成、
前記バッテリーリリースレバー７１は、図８、図９に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜面１０６ａに形成されている。
【００４６】
図１３に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に収納する。
【００４７】
バッテリー１１１をバッテリー収納部６９に収納収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図１４に示すように、前記バッテリー蓋７０を閉じてバッテリー１１１の挿入作業が終了する。
【００４８】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力等によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００４９】
そこで、図１３に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００５０】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００５１】
また、前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜面１０６ａが前記バッテリー１１１のフレーム１１１ａに設けた傾斜面１１１ｂを押して前記バッテリー１１１を更にバッテリー収納部６９から押し出す。なお、前記バッテリー接触端子１１２およびバッテリーリリースレバー７１でバッテリー１１１をバッテリー収納部６９から押し出すことのできる量は僅かであるので、バッテリー１１１をバッテリー収納部６９からより多く突出させたい場合には、バッテリー収納部６９の奥端部に押出バネ（図示省略）を設け、該押出バネのバネ力でバッテリー１１１をバッテリー収納部６９からより多く突出させてもよい。
（９）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００５２】
前記ストラップ金具７２は、図２及び図１８に示すように、前記筐体２の端面６１の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００５３】
図１９は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００５４】
そして、図１９に示すように、カメラ１の略真横から前記マルチコネクター接続端子７３に端子１２５を挿入すれば、図２０に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００５５】
図２１は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００５６】
前記マルチコネクター１２１をカメラ１から外す場合には、前記係合解除釦１２８を押圧すれば、図２２に示すように、前記係合部１２７は、前記バネ１２９の付勢力に抗して逃げ方向に回動して、前記溝状の被係合部１１５との係合が外れてカメラ１から取外し可能な状態になる。
【００５７】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図４〜図１８等は、撮像装置の各部を平面的に見たものであり、曲面や傾斜面、円筒面等については曲率半径や傾斜角度等に若干の相違があったとしてもそれは作図上のものであって同一符合部分は同一の部分を示す。また、図１、図２等の撮像装置の立体図と、図８、図９等に示す撮像装置の立体図との間において、曲面や傾斜面、円筒面等についても曲率半径や傾斜角度等に若干の相違があったとしてもこれも作図上のものである。また、断面図において、一部、ハッチング線を省略した。
（１０）作用、
実施例の撮像装置は、上述したように、前記バリヤ７が前記第１の位置に在るときには、前記トグルバネ１７で前記第１,第２のバリヤ係合体２５,２６に第１のストッパー部１８に押し付けて前記バリヤ７を開放状態に維持する。この前記バリヤ７の開放状態において、前記撮像レンズ４やオートフォーカス用の補助光の発光部５、フラッシュ用の発光部６は外部に露出した状態になる。前記筐体２の主面３から突出しているアイリス駆動機構８の一部は前記バリヤ７によって隠蔽されている。
【００５８】
一方、前記バリヤ７の内側体８１に取付けた金属板８３に切り起こし形成したスイッチ操作体押圧部８２によって、前記ベースプレート２１に取付けたスイッチ操作体２４が押圧され、該スイッチ操作体２４によって筐体２内に設けたバリヤ位置検出スイッチ（図示省略）が押圧操作されて、前記バリヤ７が開放位置に在ることが検出され、写真撮影が可能な状態になる。
【００５９】
写真撮影を終了して前記バリヤ７を前記第２の位置に移動させると、前記トグルバネ１７で前記第１,第２のバリヤ係合体２５,２６に第２のストッパー部１９を押し付けて前記バリヤ７を閉塞状態に維持する。この前記バリヤ７の閉塞状態において、前記撮像レンズ４やオートフォーカス用の補助光の発光部５、フラッシュの発光部６は前記バリヤ７で隠蔽された状態になる。また、前記筐体２の主面３から突出しているアイリス駆動機構８の一部は前記バリヤ７によって隠蔽された状態に維持される。
【００６０】
一方、前記バリヤ７の内側体８１に取付けた金属板８３に切り起こし形成したスイッチ操作体押圧部８２による前記ベースプレート２１に設けたスイッチ操作体２４の押圧および該スイッチ操作体２４による前記筐体２内に設けたバリヤ位置検出スイッチ（図示省略）の押圧が解除されて、前記バリヤ７が閉塞位置に在ることが検出される。
（１１）他の実施例、
上記実施例の撮像装置は、バリヤ７が撮像レンズ４等を隠蔽する第２の位置に在る写真非撮影時において、前記バリヤ７が筐体２の一方の主面３から突出するアイリス駆動機構８の一部を隠蔽して、該部品の一部が撮像装置の外観（体裁）を損なうのを防止すると共に、バリヤ７が撮像レンズ４等を露出させる第１の位置に在る写真撮影時においても、前記アイリス駆動機構８の一部を隠蔽して、撮像装置の外観（体裁）を損なうのを防止する構成にしたが、バリヤ７が撮像レンズ４等を隠蔽する第２の位置に在る写真非撮影時においてのみ、前記バリヤ７が筐体２の一方の主面３から突出するアイリス駆動機構８の一部を隠蔽して、突出部分が撮像装置の外観（体裁）を損なうのを防止する構成にしてもよい。写真撮影時においては、アイリス駆動機構８の一部が突出していても外観（体裁）上、然程問題にならない場合が多いからである。
【００６１】
また、実施例では、アイリス駆動機構８の一部を筐体２の主面から突出させる構成にしたが、その他の部品を突出させてもよい。また、実施例では、撮像装置としてデジタルカメラを例にとって説明したが、撮像装置は、デジタルカメラ以外のもの、例えば、携帯電話機のようなものであってもよい。また、実施例では筐体２の主面に切欠部を設け、該切欠部から部品の一部を突出させる場合を示したが、筐体２の主面の一部を突出させて、該突出部内に部品の一部を挿入する構成にしてもよい。
【図面の簡単な説明】
【００６２】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】バリヤを取外した状態の斜視図。
【図４】バリヤの分解斜視図。
【図５】ローラの取付けを示す斜視図。
【図６Ａ】トグルバネの作用を示す説明図。
【図６Ｂ】トグルバネの作用を示す説明図。
【図７】トグルバネの説明図。
【図８】バッテリー蓋を閉じた状態の斜視図。
【図９】バッテリー蓋を開いた状態の斜視図。
【図１０】バッテリー蓋と軸を示す斜視図。
【図１１】バッテリー蓋に軸を取付けた状態の正面図。
【図１２Ａ】軸の一端部に設けたバネ部の作用を示す説明図。
【図１２Ｂ】軸の一端部に設けたバネ部の作用を示す説明図。
【図１２Ｃ】軸の一端部に設けたバネ部の作用を示す説明図。
【図１３】バッテリー蓋を開いてバッテリーを収納する前の状態を示す斜視図。
【図１４】バッテリーを収納しバッテリー蓋を閉じた状態を示す斜視図。
【図１５】バッテリーリリースレバーが押し戻せなくなった状態を示す説明図。
【図１６】バッテリー収納部内の端子によりバッテリーが押出された状態の説明図。
【図１７】バッテリーリリースレバーでバッテリーを押出す状態を示す説明図。
【図１８】ストラップ金具の側面図。
【図１９】カメラにマルチコネクターを取付ける前の状態の斜視図。
【図２０】カメラにマルチコネクターを取付けた状態の斜視図。
【図２１】マルチコネクターがストラップ金具にロックされている状態の断面図。
【図２２】ロックが解除された状態の断面図。
【図２３】関連技術の説明図。
【符号の説明】
【００６３】
１…デジタルカメラ、２…筐体、３…第１の主面、４…撮像レンズ、７…バリヤ（レンズカバー）、８…アイリス駆動機構の一部、１１〜１４…第１〜第４のローラ、１５,１６…第１,第２のバリヤスライドガイド部、１７…トグルバネ、１８,１９…第１,第２のストッパー部。
【図１Ａ】
2006184390.tif 000003
【図１Ｂ】
2006184390.tif 000004
【図２Ａ】
2006184390.tif 000005
【図２Ｂ】
2006184390.tif 000006
【図３】
2006184390.tif 000007
【図４】
2006184390.tif 000008
【図５】
2006184390.tif 000009
【図６Ａ】
2006184390.tif 000010
【図６Ｂ】
2006184390.tif 000011
【図７】
2006184390.tif 000012
【図８】
2006184390.tif 000013
【図９】
2006184390.tif 000014
【図１０】
2006184390.tif 000015
【図１１】
2006184390.tif 000016
【図１２Ａ】
2006184390.tif 000017
【図１２Ｂ】
2006184390.tif 000018
【図１２Ｃ】
2006184390.tif 000019
【図１３】
2006184390.tif 000020
【図１４】
2006184390.tif 000021
【図１５】
2006184390.tif 000022
【図１６】
2006184390.tif 000023
【図１７】
2006184390.tif 000024
【図１８】
2006184390.tif 000025
【図１９】
2006184390.tif 000026
【図２０】
2006184390.tif 000027
【図２１】
2006184390.tif 000028
【図２２】
2006184390.tif 000029
【図２３】
2006184390.tif 000030